(57)【要約】【課題】洗浄水が跳ねて小便器の外部に飛び出すことがなく、小便器への取付作業が簡単な小便器の汚れ・悪臭除去具を提供すること。【解決手段】好気性微生物群担持体１０と、好気性微生物群担持体１０を取り付けた水跳ね防止板３０と、水跳ね防止板３０の好気性微生物群担持体１０を取り付けた側の面が小便器の放水面を向くように水跳ね防止板３０を小便器に取り付ける取付部材６０とを具備し、水跳ね防止板３０の好気性微生物群担持体１０を取り付けた上部の部分を小便器の洗浄水流出口から放水されて好気性微生物群担持体１０にかかった洗浄水の飛散を防止する水跳ね防止部とする。好気性微生物群担持体１０の水跳ね防止板３０への取り付けは、水跳ね防止板３０とは別に設けた略コ字状の担持体保持部材４５に好気性微生物群担持体１０を挟み込んで担持体保持部材４５の爪部４７を水跳ね防止板３０の取付穴４９に係合することによって行なう。【選択図】図１０
2008088809.tif 000002
【特許請求の範囲】
【請求項１】
好気性微生物群担持体と、
一方の面に前記好気性微生物群担持体を取り付けた水跳ね防止板と、
前記水跳ね防止板の好気性微生物群担持体を取り付けた側の面が小便器の放水面を向くようにこの水跳ね防止板を小便器に取り付ける取付部材とを具備し、
前記水跳ね防止板の前記好気性微生物群担持体を取り付けた上部の部分を、小便器の洗浄水流出口から放水されて前記好気性微生物群担持体にかかった洗浄水の飛散を防止する水跳ね防止部とし、
好気性微生物群担持体の水跳ね防止板への取り付けは、水跳ね防止板とは別に設けた略コ字状の担持体保持部材に好気性微生物群担持体を挟み込んで担持体保持部材の先端辺に設けた爪部を水跳ね防止板に設けた取付穴に係合することによって行なうことを特徴とする小便器の汚れ・悪臭除去具。
【発明の詳細な説明】
【技術分野】
【０００１】
本発明は、小便器の汚れや悪臭を除去するのに好適な小便器の汚れ・悪臭除去具に関するものである。
【背景技術】
【０００２】
本願出願人は、特許文献１に示すように、好気性微生物群を担持させた袋状の編成加工布に、好気性微生物群を担持させた炭材含有親水性多孔質板状材料及び／又は好気性微生物群を担持させた微生物活性剤含有親水性多孔質板状材料並びに竹ひごを収容してなるプレート型（棒状）の汚れ・悪臭除去用具を提案した。
【０００３】
この汚れ・悪臭除去用具は、小便器の洗浄水流出口の直下に取り付けることによって（例えば特許文献１の図６参照）、小便器を使用後に洗浄水流出口から放水される洗浄水にこの汚れ・悪臭除去用具を直接触れさせ、洗浄水に好気性微生物群の一部を混入させ、これによってこの小便器の汚れや悪臭を効果的に除去するものである。
【０００４】
この汚れ・悪臭除去用具によれば、従来の化学薬剤を用いる洗浄方法に比べて簡便な方法で効果的且つ安全に、便器の汚れや悪臭を長期間にわたって安定して除去することができる。
【０００５】
ところで従来、上記汚れ・悪臭除去用具の小便器への取り付けは、この汚れ・悪臭除去用具の複数箇所（例えば両端近傍）にそれぞれ針金の一端を巻き付け、各針金の他端をそれぞれ小便器の所定位置に取り付けることによって行なっていた。
【０００６】
しかしながら以上のようにして汚れ・悪臭除去用具を小便器に取り付けると、以下のような問題があった。
（１）プレート型の汚れ・悪臭除去用具を略水平（横長）に設置した上で、小便器の洗浄水流出口から放水される洗浄水を直接降りかけるので、汚れ・悪臭除去用具に降りかかった洗浄水が汚れ・悪臭除去用具によって跳ね、洗浄水の勢いが強い場合は跳ねた洗浄水が小便器の外部に飛び出し、小便器の周囲を汚してしまう恐れがあった。
【０００７】
（２）プレート型の汚れ・悪臭除去用具を針金によって直接小便器に取り付けるので、その取付作業が煩雑であった。また小便器によっては、洗浄水流出口が小便器の中央１ヶ所のみに設けられたものもあるが、このような小便器の場合、長尺なプレート型の汚れ・悪臭除去用具を１本の針金によって１ヶ所の洗浄水流出口に取り付けることとなるので、その取付強度が強くなく、同時に洗浄水流出口から洗浄水が放水された際に汚れ・悪臭除去用具を安定した姿勢に保持しておくことも困難であった。
【特許文献１】特開平１１−２１９７３号公報
【発明の開示】
【発明が解決しようとする課題】
【０００８】
本発明は上述の点に鑑みてなされたものでありその目的は、洗浄水が跳ねて小便器の外部に飛び出すことがなく、また小便器への取付作業が簡単で、さらに例え洗浄水流出口が小便器の中央１ヶ所のみに設けられたものであっても容易且つ確実に安定して小便器に装着することができる小便器の汚れ・悪臭除去具を提供することにある。
【課題を解決するための手段】
【０００９】
本願請求項１に記載の発明は、好気性微生物群担持体と、一方の面に前記好気性微生物群担持体を取り付けた水跳ね防止板と、前記水跳ね防止板の好気性微生物群担持体を取り付けた側の面が小便器の放水面を向くようにこの水跳ね防止板を小便器に取り付ける取付部材とを具備し、前記水跳ね防止板の前記好気性微生物群担持体を取り付けた上部の部分を、小便器の洗浄水流出口から放水されて前記好気性微生物群担持体にかかった洗浄水の飛散を防止する水跳ね防止部とし、好気性微生物群担持体の水跳ね防止板への取り付けは、水跳ね防止板とは別に設けた略コ字状の担持体保持部材に好気性微生物群担持体を挟み込んで担持体保持部材の先端辺に設けた爪部を水跳ね防止板に設けた取付穴に係合することによって行なうことを特徴とする小便器の汚れ・悪臭除去具にある。
【００１０】
本願請求項２に記載の発明は、好気性微生物群担持体と、一方の面に前記好気性微生物群担持体を取り付けた水跳ね防止板と、前記水跳ね防止板の好気性微生物群担持体を取り付けた側の面が小便器の放水面を向くようにこの水跳ね防止板を小便器に取り付ける取付部材とを具備し、前記水跳ね防止板の前記好気性微生物群担持体を取り付けた上部の部分を、小便器の洗浄水流出口から放水されて前記好気性微生物群担持体にかかった洗浄水の飛散を防止する水跳ね防止部としたことを特徴とする小便器の汚れ・悪臭除去具にある。
【００１１】
本願請求項３に記載の発明は、前記取付部材は、弾性を有する棒材によって構成され、前記水跳ね防止板に取り付けられる板取付部と、前記小便器の洗浄水流出口に取り付けられる小便器取付部とを具備し、前記小便器取付部を前記洗浄水流出口に取り付けた状態で前記板取付部が水跳ね防止板を小便器の放水面に向けて押し付ける形状に形成されていることを特徴とする請求項２に記載の小便器の汚れ・悪臭除去具にある。
【００１２】
本願請求項４に記載の発明は、前記取付部材は、その両端が板取付部であり、その中央が小便器取付部であることを特徴とする請求項３に記載の小便器の汚れ・悪臭除去具にある。
【００１３】
本願請求項５に記載の発明は、前記取付部材は、その中央が板取付部であり、その両端が小便器取付部であることを特徴とする請求項３に記載の小便器の汚れ・悪臭除去具にある。
【００１４】
本願請求項６に記載の発明は、前記水跳ね防止板の前記好気性微生物群担持体を取り付けた反対側の面を、各種表示を行う表示部としたことを特徴とする請求項２乃至５の内の何れかに記載の小便器の汚れ・悪臭除去具にある。
【発明の効果】
【００１５】
請求項１，請求項２に記載の発明によれば、好気性微生物群担持体を水跳ね防止板に取り付けた上で、この水跳ね防止板を取付部材によって小便器に取り付けるので、好気性微生物群担持体の保持が水跳ね防止板によって確実に行え、同時に取付部材によって小便器への取付作業が簡単且つ確実に行えるようになる。また水跳ね防止板の好気性微生物群担持体を取り付けた上部の部分を水跳ね防止部としたので、小便器の洗浄水流出口から放水されて好気性微生物群担持体にかかった洗浄水の飛散を確実に防止でき、洗浄水が跳ねて小便器の外部に飛び出すことがなくなる。
【００１６】
請求項３に記載の発明によれば、取付部材の板取付部と小便器取付部とを、それぞれ水跳ね防止板と小便器の洗浄水流出口とに取り付けるだけで、好気性微生物群担持体を取り付けた水跳ね防止板を小便器の放水面に押し付けることができ、洗浄水を確実に好気性微生物群担持体に当てることができる。
【００１７】
請求項４に記載の発明によれば、例え小便器の洗浄水流出口が一ヶ所であってこの一ヶ所のみに取付部材の小便器取付部を取り付けたとしても、水跳ね防止板の２ヶ所に取付部材の板取付部を取り付けることができるので、小便器への装着が容易且つ確実且つ安定に行える。
【００１８】
請求項５に記載の発明によれば、洗浄水流出口が２つ以上ある小便器への装着が容易且つ確実且つ安定に行える。
【００１９】
請求項６に記載の発明によれば、水跳ね防止板に各種表示（各種標語や広告等）を行う機能を合わせ持たせることができる。
【発明を実施するための最良の形態】
【００２０】
以下、本発明の実施形態を図面を参照して詳細に説明する。
図１は本発明の一実施形態にかかる小便器の汚れ・悪臭除去具（以下「汚れ・悪臭除去具」という）１−１の分解斜視図、図２は反対側から見た汚れ・悪臭除去具１−１の分解斜視図である。これらの図に示すように汚れ・悪臭除去具１−１は、長尺でプレート型（棒状）の好気性微生物群担持体１０と、一方の面に前記好気性微生物群担持体１０を取り付ける水跳ね防止板３０と、水跳ね防止板３０に取り付けられる取付部材６０とを具備して構成されている。以下各構成部品について説明する。
【００２１】
好気性微生物群担持体１０は、好気性微生物群を担持させた袋状の編成加工布１１の内部に、好気性微生物群を担持させた炭材含有親水性多孔質板状材料及び／又は好気性微生物群を担持させた微生物活性剤含有親水性多孔質板状材料１３を収容してプレート型（棒状）に形成して構成されている。
【００２２】
本発明に利用する好気性微生物群は、便器の汚れや悪臭を除去するために有用なものであればよく、通常は土壌から採取された微生物群が用いられる。このような微生物群としては、例えばシュードモナス属、ストレプトミセス属、ミクロコッカス属、ノカルディア属、アクロモバクター属、フラボバクテリウム属、ミコバクテリウム属、エアロバクター属、ニトロバクター属などに属する菌体が挙げられる。これらは、海辺や川辺などの土壌、好ましくは砂地から容易に採取でき、本発明では複数の属に属する微生物群を使用する。
【００２３】
好気性微生物群担持体１０を構成する材料は、基本的にすべて上記好気性微生物群を担持させて用いる。編成加工布１１は、ポリビニルアルコール系合成繊維、蛋白繊維（羊毛、絹などの天然繊維，カゼイン，大豆タンパク質などを用いた人造蛋白繊維）、ポリウレタン合成繊維およびポリアミド合成繊維（ナイロンなど）などの繊維，糸などの形態のものを用いて編成加工したものである。これは、好気性微生物群担持体１０を覆う最外層部を構成する。
【００２４】
親水性の多孔質板状材料１３としては、プラスチック材料が用いられ、例えばポリビニルアルコール系合成繊維、ポリアミド合成繊維、これらの不織布などがある。この多孔質板状材料１３は、微生物の増殖に資するため、炭材、すなわち木炭および竹炭を含有させたり、微生物活性剤を含有させたり、あるいはこれら両者を含有させたりして用いる。また好気性微生物群担持体１０に所定の強度と弾性を付与するため、好気性微生物群担持体１０の内部（編成加工布１１の内部）に竹ひごのような補強部材（補強棒）を１本〜複数本収納しても良い。
【００２５】
水跳ね防止板３０は合成樹脂（例えばポリプロピレン樹脂、ＡＢＳ樹脂等）を略平板矩形状に形成（一体成形）して構成されており、略平板矩形状の板本体部３１の一方の面の下部の両側に一対の担持体保持部３３，３３を設け、また同一の面の左右両側辺に沿う部分に凸条からなる一対の側部水跳ね防止部３５，３５を設け、また板本体部３１の下部の両側（両担持体保持部３３，３３の下側部分）に表裏に貫通して取付部材６０の下記する板取付部６５を挿入・係止する小孔からなる係止部（以下「第１係止部」という）３７，３７を設け、さらに板本体部３１の担持体保持部３３，３３を設けた面の反対側の面の下部の中央に１つの係止部（以下「第２係止部」という）３９を設けて構成されている。そして板本体部３１の担持体保持部３３，３３の上部の部分（面）を水跳ね防止部４１としている。即ち水跳ね防止部４１は水跳ね防止板３０の好気性微生物群担持体１０を取り付ける上部の部分に設けられており、また前記側部水跳ね防止部３５，３５は水跳ね防止部４１の両側を囲む位置（この実施形態ではさらに好気性微生物群担持体１０の両側を囲む位置まで）に設けられている。
【００２６】
担持体保持部３３は、板本体部３１の一方の面から上下一対の平行（水平）な板部３３ａ，３３ａを突出し、それらの先端辺に爪部３３ｂ，３３ｂを内向き（両者が対向する方向の向き）に設けて構成されている。両板部３３ａ，３３ａ間の間隔は好気性微生物群担持体１０の上下方向の高さ寸法とほぼ同一寸法に形成されている。
【００２７】
側部水跳ね防止部３５，３５は板本体部３１の好気性微生物群担持体１０を取り付ける側の面の左右両側辺からフィン状に突出して設けられている。言い換えれば、側部水跳ね防止部３５，３５は、前記水跳ね防止部４１と好気性微生物群担持体１０を取り付ける部分の左右両側部を囲む形状に形成されている。
【００２８】
第２係止部３９の形状は、横断面が略Ｌ字状の横長矩形状であり、その内部中央に下記する（この実施形態では用いない）取付部材６０−２の板取付部６５−２を係止して取り付ける取付部３９ａを設け、またその下面側に前記板取付部６５−２を挿入する挿入部３９ｂを設けて構成されている。
【００２９】
また水跳ね防止板３０の前記好気性微生物群担持体１０を取り付ける反対側の面は、各種表示を行う表示部４３となっており、図示はしないが、表示部４３には、各種表示が印刷や印刷物の貼り付けや直接記載や彫り込みなどによって行われている。表示の内容としては、各種標語（例えば「トイレをきれいに」や「このトイレは環境に配慮してます」等）や広告（例えばビルメンテナンス会社の公告等）等である。
【００３０】
取付部材６０は弾性を有する棒材（線材）を略逆Ｖ字型に折り曲げ、折り曲げた両側部分をアーム部６１，６１とし、折り曲げた中央部分を小便器取付部６３とし、両端部分を板取付部６５，６５として構成されている。取付部材６０の材質としてこの実施形態ではステンレスを用いているが、他の各種弾性を有する材料を用いてもよい。両アーム部６１，６１の中間位置（小便器取付部６３に近い位置）には屈曲部６７，６７が設けられており、屈曲部６７，６７は水跳ね防止板３０から離れる方向に向かって突出するように屈曲している。小便器取付部６３は、線材を蛇行するように屈曲して構成されており、下向きにＵ字状に突出してなる第１突出部６３ａと、第１突出部６３ａの両側において上向きにＵ字状に突出してなる一対の第２突出部６３ｂ，６３ｂとを有している。板取付部６５はアーム部６１の端部を前記水跳ね防止板３０側に略直角に折り曲げて構成されている。
【００３１】
そしてこの汚れ・悪臭除去具１−１の組み立ては、水跳ね防止板３０の一対の担持体保持部３３，３３のそれぞれの両爪部３３ｂ，３３ｂの上から好気性微生物群担持体１０を押し付けて上下の板部３３ａ，３３ａを外側に撓ませて両爪部３３ｂ，３３ｂ間を開き、好気性微生物群担持体１０を担持体保持部３３，３３内にスナップイン係合させる。一方取付部材６０の両板取付部６５，６５を第１係止部３７，３７に挿入して係止する。これによって図３に示す汚れ・悪臭除去具１−１が完成する。同図に示すように取付部材６０のアーム部６１，６１は水跳ね防止板３０の面に略平行に設置され、屈曲部６７，６７の部分で屈曲することで小便器取付部６３が水跳ね防止板３０側に向くように傾斜している。
【００３２】
次に汚れ・悪臭除去具１−１の使用方法を説明する。図４，図５は汚れ・悪臭除去具１−１の小便器Ａ−１への取付状態を示す図であり、図４は要部概略平面図、図５は要部概略側面図である。また図９（ａ）は小便器Ａ−１の全体概略正面図である。図９（ａ）に示すように小便器Ａ−１は、その放水面Ａ１０の上部中央の１箇所に洗浄水流出部Ａ２０を設けているタイプの小便器であり、同図に矢印で示すように洗浄水流出部Ａ２０からは下方向に放射状に洗浄水が放水される。洗浄水流出部Ａ２０は図４，図５に示すように、内部を洗浄水通路とした水供給部Ａ３１を設けたケースＡ３０を具備し、ケースＡ３０と放水面Ａ１０との間に略半円弧状のスリット状の洗浄水流出口Ａ４０を設けて構成されている。洗浄水流出口Ａ４０の中央部から左右対称の２箇所にはケースＡ３０の放水面Ａ１０に対向する側の辺を凹状（半円形）に切り欠いてなる切り欠き穴Ａ５０が設けられている。
【００３３】
そして汚れ・悪臭除去具１−１の小便器Ａ−１への取り付けは、水跳ね防止板３０の好気性微生物群担持体１０を取り付けた側の面が小便器Ａ−１の放水面Ａ１０を向くようにして取付部材６０の小便器取付部６３を洗浄水流出部Ａ２０の洗浄水流出口Ａ４０に挿入し、小便器取付部６３の第１突出部６３ａの先端を洗浄水流出部Ａ２０の内壁面に当接させて係止することで行う。このとき両アーム部６１は切り欠き穴Ａ５０から突出する。このように小便器取付部６３は、洗浄水流出口Ａ４０の形状に合わせて、洗浄水流出口Ａ４０にワンタッチで容易に取り付けられる形状に形成されている。以上のようにして洗浄水流出口Ａ４０に小便器取付部６３を取り付けた際、アーム部６１，６１に設けた屈曲部６７，６７によって、板取付部６５，６５は水跳ね防止板３０を小便器Ａ−１の放水面Ａ１０に向けて押し付けることとなる。言い換えれば取付部材６０の形状は、小便器取付部６３を洗浄水流出口Ａ４０に取り付けた状態で、板取付部６５，６５が水跳ね防止板３０を小便器Ａ−１の放水面Ａ１０に向けて押し付ける形状に形成されている。このとき好気性微生物群担持体１０（正確には担持体保持部３３，３３の先端部分）が放水面Ａ１０に当接するので、水跳ね防止板３０の板本体部３１と放水面Ａ１０との間には洗浄水が通過する隙間Ｓが生じている。
【００３４】
そして前記洗浄水流出口Ａ４０から放射状下向きに洗浄水が放水されると、洗浄水は放水面Ａ１０を伝って略放射状（扇状）に流れて隙間Ｓに入り込み、洗浄水の一部が好気性微生物群担持体１０に当たる。これによって洗浄水に好気性微生物群の一部を混入させることができ、便器の汚れや悪臭を効果的に除去することができる。好気性微生物群担持体１０に当たった洗浄水の一部は、好気性微生物群担持体１０に衝突することによって手前側（放水面Ａ１０から離れる方向）、上方、両側方に向かって飛び散ろうとする。しかしながら本実施形態の汚れ・悪臭除去具１−１によれば、手前側、上方に向かって飛び散ろうとした洗浄水は、何れも水跳ね防止板４０の水跳ね防止部４１によってその飛散が確実に防止される。また側方に向かって飛び散ろうとした洗浄水も、側部水跳ね防止部３５，３５によってその飛散が確実に防止される。以上のことから、洗浄水の飛散は確実に防止される。なお側方に向かって飛び散る洗浄水は比較的少量で、小便器Ａ１−１の外部に飛び散ることも少ないので、場合によっては側部水跳ね防止部３５，３５を省略しても良い。
【００３５】
以上のようにこの汚れ・悪臭除去具１−１によれば、好気性微生物群担持体１０を水跳ね防止板３０に取り付けた上で、この水跳ね防止板３０を取付部材６０によって小便器Ａ１−１に取り付けたので、好気性微生物群担持体１０の保持が水跳ね防止板３０によって確実に行え、同時に取付部材６０によって小便器Ａ１−１への取付作業が簡単且つ確実に行えるようになる。また水跳ね防止板３０の好気性微生物群担持体１０を取り付けた上部の部分を水跳ね防止部４１としたので、小便器Ａ１−１の洗浄水流出口Ａ４０から放水されて好気性微生物群担持体１０にかかる洗浄水の飛散を確実に防止でき、洗浄水が跳ねて小便器Ａ１−１の外部に飛び出すことを確実に防止できる。また取付部材６０の板取付部６５と小便器取付部６３とを、それぞれ水跳ね防止板３０と小便器Ａ１−１の洗浄水流出口Ａ４０とに取り付けるだけで、好気性微生物群担持体１０を取り付けた水跳ね防止板３０を小便器Ａ１−１の放水面Ａ１０に押し付けることができ、洗浄水を確実に好気性微生物群担持体１０に当てることができる。特にこの実施形態のように、小便器Ａ１−１の洗浄水流出口Ａ４０が一ヶ所であってこの一ヶ所のみに取付部材６０の小便器取付部６３を取り付ける場合であっても、水跳ね防止板３０の２ヶ所に取付部材６０の板取付部６５を取り付けることができるので、小便器Ａ１−１への汚れ・悪臭除去具１−１の装着が容易且つ確実且つ安定に行える。さらに水跳ね防止板３０に表示部４３を設けたので、前記機能に加えてさらに各種表示を行う機能を合わせ持たせることができる。
【００３６】
図６は本発明の他の実施形態にかかる小便器の汚れ・悪臭除去具（以下「汚れ・悪臭除去具」という）１−２の分解斜視図（但し水跳ね防止板３０に好気性微生物群担持体１０を取り付けた状態を示す）である。また図７は斜視図である。この実施形態において前記図１〜図５に示す汚れ・悪臭除去具１−１と同一又は相当部分には同一符号を付す。なお以下で説明する事項以外の事項については、前記図１〜図５に示す実施形態と同じである。この実施形態に用いる各部品において、前記汚れ・悪臭除去具１−１に用いる部品と相違する部品は、取付部材６０−２のみであり、その他の部品（好気性微生物群担持体１０と水跳ね防止板３０）は全く同一のものを用いており、前記汚れ・悪臭除去具１−１と共用部品としている。
【００３７】
この実施形態にかかる取付部材６０−２は、弾性を有する棒材（線材）を略Ｖ字型に折り曲げ、折り曲げた両側部分をアーム部６１−２，６１−２とし、折り曲げた中央部分を板取付部６５−２とし、両端部分を小便器取付部６３−２として構成されている。取付部材６０−２の材質としてこの実施形態ではステンレスを用いているが、他の各種弾性を有する材料を用いてもよい。両アーム部６１−２，６１−２の中間位置（小便器取付部６３−２に近い位置）には屈曲部６７−２，６７−２が設けられており、屈曲部６７−２，６７−２は水跳ね防止板３０から離れる方向に向かって突出するように屈曲している。両小便器取付部６３−２は、両アーム部６１−２，６１−２の先端部を外方向（略水平で、水跳ね防止板３０の面に平行で、両者が離れていく方向）に向けて折り曲げて構成されている。板取付部６５−２は両アーム部６１−２，６１−２の中央を略水平で、水跳ね防止板３０の面に平行となるように設けられている。板取付部６５−２の長さは前記水跳ね防止板３０に設けた第２係止部３９の長さと略同じ長さに形成されている。
【００３８】
そしてこの汚れ・悪臭除去具１−２の組み立ては、前記汚れ・悪臭除去具１−１の場合と同様にして水跳ね防止板３０に好気性微生物群担持体１０を取り付ける。一方取付部材６０−２の板取付部６５−２を第２係止部３９下部の挿入部３９ｂから取付部３９ａに挿入して係止する。これによって図７に示す汚れ・悪臭除去具１−２が完成する。同図に示すように取付部材６０−２のアーム部６１−２，６１−２は水跳ね防止板３０の面に略平行に設置され、屈曲部６７−２，６７−２の部分で屈曲することで両小便器取付部６３−２が水跳ね防止板３０側に向くように傾斜している。
【００３９】
次に汚れ・悪臭除去具１−２の使用方法を説明する。図８は汚れ・悪臭除去具１−２の小便器Ａ−２への取付状態を示す要部概略平面図である。また図９（ｂ）は小便器Ａ−２の全体概略正面図である。図８に示すように小便器Ａ−２は、その放水面Ａ１０−２の上部に水平方向に延びる洗浄水流出部Ａ２０−２を設け、図９（ｂ）に矢印で示すように水平方向の複数位置から下方向に向けて洗浄水を放水するタイプの小便器である。洗浄水流出部Ａ２０−２は図８に示すように、水平方向に延びる洗浄水通路を具備して構成されており、この洗浄水流出部Ａ２０−２の複数箇所に下方向に貫通する小孔からなる洗浄水流出口Ａ４０−２を設けている。
【００４０】
そして汚れ・悪臭除去具１−２の小便器Ａ−２への取り付けは、水跳ね防止板３０の好気性微生物群担持体１０を取り付けた側の面が小便器Ａ−２の放水面Ａ１０−２を向くようにして取付部材６０−２の両小便器取付部６３−２をそれぞれ洗浄水流出口Ａ４０−２に挿入し、洗浄水流出部Ａ２０−２内の洗浄水通路の下面に載置することで係止する。このように両小便器取付部６３−２は、洗浄水流出口Ａ４０−２に容易に取り付けられる。以上のようにして洗浄水流出口Ａ４０−２に小便器取付部６３−２を取り付けた際、アーム部６１−２，６１−２に設けた屈曲部６７−２，６７−２によって、板取付部６５−２が水跳ね防止板３０を小便器Ａ−２の放水面Ａ１０−２に向けて押し付けることとなる。言い換えれば取付部材６０−２の形状は、板取付部６５−２が水跳ね防止板３０を小便器Ａ−２の放水面Ａ１０−２に向けて押し付ける形状としている。
【００４１】
そして前記各洗浄水流出口Ａ４０−２から下向きに洗浄水が放水されると、洗浄水は放水面Ａ１０−２を伝って流れ、洗浄水の一部が好気性微生物群担持体１０に当たり、この汚れ・悪臭除去具１−２は前記実施形態と同様の作用・効果を生じる。なおこの実施形態の場合、取付部材６０−２の中央が板取付部６５−２であり、その両端が小便器取付部６３−２なので、洗浄水流出口Ａ４０−２が２つ以上ある小便器Ａ−２への装着が容易且つ確実且つ安定に行える。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、好気性微生物群担持体１０の水跳ね防止板３０への取付構造は種々の変更が可能であり、例えば図１０に示すように、水跳ね防止板３０とは別途設けた略コ字状の担持体保持部材４５，４５を用意すると共に、水跳ね防止板３０のこれに対向する位置には担持体保持部材４５，４５の先端辺に設けた爪部４７，４７をスナップイン係合する矩形状の貫通孔からなる取付穴４９，４９を設け、好気性微生物群担持体１０の両端部近傍部分をそれぞれ挟持した担持体保持部材４５，４５を取付穴４９，４９にスナップイン係合することで好気性微生物群担持体１０を水跳ね防止板３０に取り付けても良い。またこれ以外の各種方法によって好気性微生物群担持体１０を水跳ね防止板３０に取り付けても良い。また好気性微生物群担持体１０や水跳ね防止板３０や取付部材６０，６０−２の形状や構造を種々変更しても良い。
【図面の簡単な説明】
【００４３】
【図１】汚れ・悪臭除去具１−１の分解斜視図である。
【図２】汚れ・悪臭除去具１−１の分解斜視図である。
【図３】汚れ・悪臭除去具１−１の斜視図である。
【図４】汚れ・悪臭除去具１−１の小便器Ａ−１への取付状態を示す要部概略平面図である。
【図５】汚れ・悪臭除去具１−１の小便器Ａ−１への取付状態を示す要部概略側面図である。
【図６】汚れ・悪臭除去具１−２の分解斜視図である。
【図７】汚れ・悪臭除去具１−２の斜視図である。
【図８】汚れ・悪臭除去具１−２の小便器Ａ−２への取付状態を示す要部概略平面図である。
【図９】図９（ａ），（ｂ）はそれぞれ小便器Ａ−１，Ａ−２の全体概略正面図である。
【図１０】好気性微生物群担持体１０の水跳ね防止板３０への他の取付構造の１例を示す分解斜視図である。
【符号の説明】
【００４４】
１−１  小便器の汚れ・悪臭除去具
１０  好気性微生物群担持体
３０  水跳ね防止板
３１  板本体部
３３  担持体保持部
３５  側部水跳ね防止部
４１  水跳ね防止部
４３  表示部
６０  取付部材
６１  アーム部
６３  小便器取付部
６５  板取付部
Ａ−１  小便器
Ａ１０  放水面
Ａ２０  洗浄水流出部
Ａ４０  洗浄水流出口
１−２  小便器の汚れ・悪臭除去具
６０−２  取付部材
６１−２  アーム部
６３−２  小便器取付部
６５−２  板取付部
【図１】
2008088809.tif 000003
【図２】
2008088809.tif 000004
【図３】
2008088809.tif 000005
【図４】
2008088809.tif 000006
【図５】
2008088809.tif 000007
【図６】
2008088809.tif 000008
【図７】
2008088809.tif 000009
【図８】
2008088809.tif 000010
【図９】
2008088809.tif 000011
【図１０】
2008088809.tif 000012